(57)【要約】【課題】指先を自由に動かすことができ、指の腹の感触を妨げることなく、しかも、水中での保温性に優れた水中作業用手袋を提供する。【解決手段】各指をそれぞれ収容する指袋１と、手の甲と掌を覆い、手首側が水中作業服の袖先と重なる本袋２とからなる水中作業用手袋であって、指袋１の少なくとも一つに指の腹が露出する開口部３又は開閉部６を設け、指袋の開口端４又は開閉部６の本袋側の開閉端７が指の周囲に密着する伸縮性を有するようにするか、指袋１の少なくとも一つの指の腹側５を本袋２よりも薄く形成した水中作業用手袋。【選択図】  図１
2004339646.tif 000002
【特許請求の範囲】
【請求項１】
各指をそれぞれ収容する指袋（１）と、手の甲と掌を覆い、手首側が水中作業服の袖先と重なる本袋（２）とからなる水中作業用手袋であって、指袋（１）の少なくとも一つに指の腹が露出する開口部（３）が設けられ、指袋の開口端（４）が指の周囲に密着する伸縮性を有することを特徴とする水中作業用手袋。
【請求項２】
右手の親指袋（１Ａ）に第１関節が露出する開口部（３Ａ）が設けられると共に、右手の人差指袋（１Ｂ）に第２関節が露出する開口部（３Ｂ）が設けられ、他の指袋（１）の少なくとも指の腹側（５）が耐カット性を有することを特徴とする請求項１に記載の水中作業用手袋。
【請求項３】
両手の親指袋（１Ａ）に第１関節が露出する開口部（３Ａ）が設けられると共に、両手の人差指袋（１Ｂ）及び中指袋（１Ｃ）に第２関節が露出する開口部（３Ｂ，３Ｃ）が設けられていることを特徴とする請求項１に記載の水中作業用手袋。
【請求項４】
各指をそれぞれ収容する指袋（１）と、手の甲と掌を覆い、手首側が水中作業服の袖先と重なる本袋（２）とからなる水中作業用手袋であって、指袋（１）の少なくとも一つに指の腹が露出する開閉部（６）が設けられ、開閉部（６）の本袋側の開閉端（７）が指の周囲に密着する伸縮性を有することを特徴とする水中作業用手袋。
【請求項５】
開閉部（６）の指先側に開閉用つまみ（８）が設けられていることを特徴とする請求項４に記載の水中作業用手袋。
【請求項６】
開閉部（６）の本袋側と指先側とを着脱自在に接続する固定具（９）が設けられていることを特徴とする請求項４又は５に記載の水中作業用手袋。
【請求項７】
各指をそれぞれ収容する指袋（１）と、手の甲と掌を覆い、手首側が水中作業服の袖先と重なる本袋（２）とからなる水中作業用手袋であって、指袋（１）の少なくとも一つの指の腹側（５）が本袋（２）よりも薄く形成されていることを特徴とする水中作業用手袋。
【発明の詳細な説明】
【０００１】
【発明の属する技術分野】
本発明は、水中作業服と共に着用して、保温性を有しつつ、水中での指先を使用した各種作業を行いやすくした水中作業用手袋に関するものであり、特に、水中でのカメラ撮影に好適な水中作業用手袋に関するものである。
【０００２】
【従来の技術】
従来、水中で、防水のカメラ、デジタルカメラ、ビデオカメラ等を使用した撮影の際には、主に保温や手指の保護を目的としたダイビング用手袋をそのまま使用したり、ダイビング用手袋に代えて軍手を使用したり、更には手袋を外して素手で撮影したりしていた。
【０００３】
ここで、ダイビング用手袋を嫌うのは、従来のダイビング用手袋が、水中における保温、岩やトゲのある生物からの手指の保護のために相応の厚みを有していることから、指先の自由が利かないからである。例えば、水中でのカメラ撮影、特に右手で操作する微妙なシャッター操作（ピント合わせと撮影）やズーム操作においては、指先が自由に動かないだけでなく指の腹の感触が鈍るため、シャッターチャンスを逃がすことにもなる。
【０００４】
一方、軍手では、保温性に劣り、体温を消費してしまうだけでなく、撮影中に水の流れやうねりによって不安定になるカメラや自分の体を固定するため、周辺の岩等を握りしめた場合に、破れて手指を傷つけるという問題がある。ましてや素手では問題が大きく、トゲのある生物に対して危険ですらある。
【０００５】
ところで、ダイビング用ではないが、手袋をしている際の指先の作業性を改善するため、指を収容する指袋の先端部をなくし、開口させた手袋が知られている（例えば、特許文献１参照。）。また、同様の目的で、指の先端まで指袋はあるが、途中に切れ目を設けて指先の出し入れを自在にした手袋も知られている（例えば、特許文献２参照。）。
【０００６】
【特許文献１】
特開平７−３２４２０９号公報    （第２頁、図１−６）
【特許文献２】
実開平７−６２３１号公報    （第２頁、図１−６）
【０００７】
【発明が解決しようとする課題】
しかしながら、特許文献１や特許文献２に記載の手袋は、手袋から指先が露出するというだけで、水中での使用については全く考慮されていない。即ち、ダイビング用手袋は水中での保温をも目的としているが、従来の手袋をそのまま水中で使用したのでは保温性に劣り、体温を消費してしまうのである。
【０００８】
この点につき更に詳述すると、水中での手指の保温は、手袋内に水が流入して手袋の内面と手指の表面との間に水の薄い層を形成し、この層がほとんど流動せずに手指の表面をそのまま覆うことで保温層として機能する。
【０００９】
ところが、指袋の先端部をなくし、開口させただけの従来の手袋を水中で使用すると、開口部から水が自由に出入りすることとなり、保温層を形成しない。また、指袋の途中に切れ目を設けただけの従来の手袋も、切れ目から水が自由に出入りすることとなり、保温層を形成しない。
【００１０】
そこで本発明は、指先を自由に動かすことができ、指の腹の感触を妨げることなく、しかも、水中での保温性に優れた水中作業用手袋を提供することを目的とするものである。
【００１１】
【課題を解決するための手段】
本発明は、以上の課題を解決するためになされたものであって、その第１の要旨は、各指をそれぞれ収容する指袋と、手の甲と掌を覆い、手首側が水中作業服の袖先と重なる本袋とからなる水中作業用手袋であって、指袋の少なくとも一つに指の腹が露出する開口部が設けられ、指袋の開口端が指の周囲に密着する伸縮性を有する水中作業用手袋に係るものである。
【００１２】
ここで特に、右手の親指袋は第１関節が露出するように、人差指袋は第２関節が露出するように開口部を設け、他の指袋の少なくとも指の腹側は耐カット性を有するようにすることができるし、両手の親指袋は第１関節が露出するように、人差指袋と中指袋は第２関節が露出するように開口部を設けることもできる。
【００１３】
また、本発明の第２の要旨は、同様の水中作業用手袋であって、指袋の少なくとも一つに指の腹が露出する開閉部が設けられ、開閉部の本袋側の開閉端が指の周囲に密着する伸縮性を有する水中作業用手袋に係るものである。そして好ましくは、開閉部の指先側に開閉用つまみを設け、より好ましくは、開閉部の本袋側と指先側とを着脱自在に接続する固定具を設けた水中作業用手袋に係るものである。
【００１４】
更に、本発明の第３の要旨は、同様の水中作業用手袋であって、指袋の少なくとも一つの指の腹側が本袋よりも薄く形成されている水中作業用手袋に係るものである。
【００１５】
【発明の実施の形態】
本発明の水中作業用手袋は、各指をそれぞれ収容する指袋と、手の甲と掌を覆い、手首側が水中作業服の袖先と重なる本袋とからなるものである。即ち、水中での作業性に影響を及ぼさない本袋は、手首側において水中作業服と重なる長さとされ、手袋と作業服との間で保温性が低下しないようにしている。
【００１６】
そして特徴的に、指袋の少なくとも一つに指の腹が露出する開口部又は開閉部を設け、指袋の開口端又は開閉部の本袋側の開閉端が指の周囲に密着する伸縮性を有するようにするか、指袋の少なくとも一つの指の腹側を本袋よりも薄く形成している。
【００１７】
即ち、指袋に開口部を設けた場合には、その開口部から指の腹が露出するようになっているので、手袋をしていても指の腹の感触が鈍ることはない。従って、カメラ撮影のように、シャッターを半押ししてフォーカスロックをするような微妙な操作や、微妙なズーム操作、微妙なダイヤル操作等であっても常に適切に対応できる。
【００１８】
また、指袋に開閉部を設けた場合には、開閉部の指先側を開けると、開閉部の本袋側から指の腹が露出するようになっているので、手袋をしていても指の腹の感触が鈍ることはない。一方、開閉部の指先側を閉めると、通常の手袋と同様に手指が全て保護される。従って、カメラ撮影のような微妙な操作が必要になる際にだけ開閉部を開けて対応することができ、撮影しない際等は、保温や手指の保護のために開閉部を閉めておくことができる。
【００１９】
そして、指袋に開口部や開閉部を設けた場合、指袋の開口端又は開閉端は伸縮性を有しており、指の周囲に密着するようになっている。そのため、水中で使用した際には、本袋内に水が流入するものの、一旦流入した水が本袋外にすぐに流出したり、更に続けて多量の水が流入してくることはない。従って、最初に流入した水が本袋の内面と手指の表面との間で滞留層を形成し、この層がほとんど流動せずに手指の表面をそのまま覆って保温層として機能することで、水中での手指の温度が保持される。
【００２０】
一方、指袋の少なくとも一つの指の腹側を本袋よりも薄く形成した場合には、薄い分だけ指先の自由が利くようになり、手指の全てを保護しつつ、指の腹の感触の鈍りを軽減することができる。従って、カメラ撮影のような微妙な操作と、保温や手指の保護とを適度にバランスさせることができる。
【００２１】
ここで、開口部や開閉部を設ける指袋は、水中での作業内容に応じて適宜選定すればよく、単数であっても複数であってもよいが、カメラ操作を想定した場合には、一般にシャッター等の操作部がカメラボディの右側に集中しているので、右手の親指袋と人差指袋とが適当である。但し、左手を体の固定に使う必要がなく、左手でもダイヤル操作をするプロ指向のカメラマン用の手袋にあっては、両手の親指袋、人差指袋及び中指袋に開口部又は開閉部を設けてもよい。
【００２２】
また、開口部や開閉部を設ける位置も、水中での作業内容に応じて適宜設定することができ、指の腹だけでなく関節まで露出する位置としてもよいが、カメラ操作を想定した場合には、シャッター等の操作性と保温性のバランスから、親指袋は第１関節が露出する程度、人差指袋（プロ指向のカメラマン用の手袋にあっては、中指袋も）は第２関節が露出する程度が適当である。
【００２３】
なお、開口部又は開閉部を設けていない指袋にあっては、撮影中に不安定になるカメラや自分の体の固定のため、周辺の岩等を握りしめることを考慮し、少なくとも指の腹側が耐カット性を有するようにすることが好ましい。なお、指の腹側だけでなく全体を耐カット性にすれば、耐久性や安全性が一層向上する。
【００２４】
ところで、指袋に開閉部を設けた場合にあっては、開閉の簡便さを考慮して、開閉部の指先側に開閉用つまみを設けることが好ましい。また、開閉部を開けた際、その指先側が水の流れやうねりによって揺れ動き、カメラ撮影等の邪魔になることが考えられる。そこで、開閉部の本袋側と指先側とを着脱自在に接続する固定具を設けることが好ましい。
【００２５】
【実施例】
以下、本発明の好ましい実施の形態の具体例を図面により説明する。図１は、本発明の水中作業用手袋の第１実施例を示す斜視図である。図１に示す第１実施例の水中作業用手袋は、ネオプレーンからなる指袋１及び本袋２を有し、右手の親指袋１Ａに第１関節が露出する開口部３Ａを設けると共に、右手の人差指袋１Ｂに第２関節が露出する開口部３Ｂを設けたものである。
【００２６】
従って、第１実施例の水中作業用手袋を使用すれば、右手の親指は第１関節から先が露出するので、カメラ撮影の際の微妙なズーム操作が可能になる。また、右手の人差指は第２関節から先が露出するので、カメラ撮影の際に、シャッターを半押ししてフォーカスロックをするような微妙な操作が簡単になる。
【００２７】
また、開口部３Ａ及び開口部３Ｂにおける開口端４Ａ及び開口端４Ｂには、伸縮性のある素材が使われ、指の周囲に密着するようになっている。ここで密着とは、水中で使用した際に、開口部３Ａ及び開口部３Ｂから本袋２に水が流入するが、一旦流入した水が本袋２から開口部３Ａ又は開口部３Ｂに向けて流出することは少なく、開口部３Ａ及び開口部３Ｂからの更なる流入も少ないようなシール程度をいう。
【００２８】
従って、第１実施例の水中作業用手袋を使用すれば、最初に流入した水が本袋２の内面と手指の表面との間で滞留層を形成する。そして、この滞留層が保温層となり、水の多少の出入りがあるとしても体温を奪い去ることはなく、それ故、水中での手指の温度が保持される。
【００２９】
一方、開口部のない指袋１については全て、指の腹側５に耐カット性のある丈夫な素材が使われており、カメラ撮影の際に周辺の岩等をつかんで体を支える等した場合であっても、指袋１が破れないようになっている。そのため、第１実施例の水中作業用手袋は、作業性、保温性、耐久性に優れたものとなっている。
【００３０】
図２は、本発明の水中作業用手袋の第２実施例を示す斜視図である。図２に示す第２実施例の水中作業用手袋は、第１実施例と同様にネオプレーンからなる指袋１及び本袋２を有しているが、両手の親指袋１Ａ，１Ａに第１関節が露出する開口部３Ａ，３Ａを設けると共に、両手の人差指袋１Ｂ，１Ｂに第２関節が露出する開口部３Ｂ，３Ｂを、両手の中指袋１Ｃ，１Ｃに第２関節が露出する開口部３Ｃ，３Ｃをそれぞれ設けたものである。
【００３１】
従って、第２実施例の水中作業用手袋を使用すれば、使用頻度の高い左右の指（親指〜中指）でそれぞれ別々の操作をすることができ、例えば、プロ指向のカメラマン用の手袋として特に好適なものとなっている。即ち、右手の親指でズーム操作、右手の人差指でシャッター操作、右手の中指でフォーカスロック操作等をし、左手の親指、人差指及び中指でダイヤル操作をすることができるので、複雑な操作を伴うカメラ撮影が可能となる。
【００３２】
また、開口部３Ａ〜３Ｃの開口端４Ａ〜４Ｃに、指の周囲に密着する伸縮性のある素材が使われている点は第１実施例と同様であり、それによって、水中でも手指が保温される。
【００３３】
図３は、本発明の水中作業用手袋の第３実施例を示す斜視図である。図３に示す第３実施例の水中作業用手袋は、第１実施例と同様にネオプレーンからなる指袋１及び本袋２を有し、右手の親指袋１Ａに第１関節が露出する開閉部６Ａを設けると共に、右手の人差指袋１Ｂに第２関節が露出する開閉部６Ｂを設けたものである。
【００３４】
また、各開閉部６の指先側には開閉用つまみ８がそれぞれ設けられており、更に、各開閉部６の本袋側と指先側とを着脱自在に接続する固定具９がそれぞれ設けられている。なお、図３には手袋の右手側のみを示してあるが、左手側は図１の左の手袋と全く同様であり、開閉部は一切ない。
【００３５】
第３実施例の水中作業用手袋は、通常のダイビングや、カメラの撮影ポイントに行くまでは、図３（Ａ）に示すように、各開閉部６の指先側を閉めておく。閉めておくことにより、保温性が一層向上し、ケガ等から指先が保護されるからである。
【００３６】
そして、撮影ポイントに到着したとき等は、左手で開閉用つまみ８を持って開閉部６の指先側をめくり、図３（Ｂ）に示すように、開閉部６の指先側を開けることで親指と人差指とを露出させ、第１実施例の場合と同じようにしてカメラ撮影等を行う。なお、開閉部６を開けた際に、折り曲げた親指袋１Ａと人差指袋１Ｂの指先側を本袋２に押し付ければ、固定具９によって親指袋１Ａ及び人差指袋１Ｂが本袋２にくっつき、両者が離れないようになる。
【００３７】
ここで、開閉部６Ａの開閉端７Ａと、開閉部６Ｂの開閉端７Ｂには、第１実施例と同様に、指の周囲に密着する伸縮性のある素材が使われている。そのため、図３（Ａ）のように開閉部６の指先側を閉めている場合であっても、図３（Ｂ）のように開閉部６の指先側を開けている場合であっても、第１実施例で説明した作用に基づいて手指が保温される。
【００３８】
逆に、カメラ撮影が終了したとき等は、固定具９によって本袋２にくっついている親指袋１Ａ及び人差指袋１Ｂを引きはがす。そして、親指袋１Ａ及び人差指袋１Ｂをそれぞれ親指と人差指とに被せ、図３（Ａ）に示す状態に戻す。
【００３９】
図４は、本発明の水中作業用手袋の第４実施例を示す斜視図である。図４に示す第４実施例の水中作業用手袋は、第１実施例と同様にネオプレーンからなる指袋１及び本袋２を有しているが、開口部はなく、右手の親指袋１Ａと右手の人差指袋１Ｂが本袋２よりも薄く形成されている。
【００４０】
そのため、薄い分だけ右手の親指袋１Ａと人差指袋１Ｂが軟らかく、親指と人差指の自由が利く。また、指の腹側５も薄くなっているので、指の腹の感触の鈍りを軽減することができる。従って、手指の全てを保温及び保護しつつ、カメラ撮影のような微妙な操作をすることができる。なお、図４には手袋の右手側のみを示してあるが、左手側も同様にできる。
【００４１】
【発明の効果】
本発明における水中作業用手袋は、各指をそれぞれ収容する指袋と、手の甲と掌を覆い、手首側が水中作業服の袖先と重なる本袋とからなる水中作業用手袋であって、指袋の少なくとも一つに指の腹が露出する開口部又は開閉部を設け、指袋の開口端又は開閉部の本袋側の開閉端が指の周囲に密着する伸縮性を有するようにするか、指袋の少なくとも一つの指の腹側を本袋よりも薄く形成したので、指先を自由に動かすことができ、指の腹の感触を妨げることなく、しかも、水中での保温性に優れる。
【図面の簡単な説明】
【図１】図１は、本発明の水中作業用手袋の第１実施例を示す斜視図である。
【図２】図２は、本発明の水中作業用手袋の第２実施例を示す斜視図である。
【図３】図３は、本発明の水中作業用手袋の第３実施例を示す斜視図である。
【図４】図４は、本発明の水中作業用手袋の第４実施例を示す斜視図である。
【符号の説明】
１‥指袋
１Ａ‥親指袋
１Ｂ‥人差指袋
１Ｃ‥中指袋
２‥本袋
３，３Ａ，３Ｂ，３Ｃ‥開口部
４，４Ａ，４Ｂ，４Ｃ‥開口端
５‥指の腹側
６，６Ａ，６Ｂ‥開閉部
７，７Ａ，７Ｂ‥開閉端
８‥開閉用つまみ
９‥固定具
【図１】
2004339646.tif 000003
【図２】
2004339646.tif 000004
【図３】
2004339646.tif 000005
【図４】
2004339646.tif 000006